(57)【要約】連鎖販売ビジネスにおいてビジネスが停滞し、一定の収入を得ることを目的として会員となった一般人が金銭的損害を受け、社会的な問題となる元凶は、会員が販売できる商品が連鎖販売ビジネス業者の商品に限定されていること及び会員が報酬を得る手段が商品販売と販売会員を勧誘するビジネス行動のみに限定されていることにある。連鎖販売ビジネスシステムに、会員が自ら売主となる商品を登録すること及び自ら売主となる商品を登録する会員を勧誘したことを会員の実績として報酬項目に加える手法を確立し、これをシステム化する。
2017119199.tif 000002
【特許請求の範囲】
【請求項１】
連鎖販売ビジネスの会員に新たな報酬項目を付加する会員商品登録連鎖販売ビジネスシステムであって、
連鎖販売ビジネス会員に、会員自身を売主とする商品登録を可能とする会員商品情報登録部と
前記会員商品情報登録部に登録された商品を管理する受発注管理システムと
自ら売主となる会員を勧誘した会員を抽出し、報酬受領資格を設定する商品登録会員勧誘グループ会員資格抽出部と
前記商品登録会員勧誘グループ会員資格を管理する資格管理システムと
を有することを特徴とする会員商品登録連鎖販売ビジネスシステム
【請求項２】
さらに、連鎖販売ビジネスの会員は、有形の商品のみではなく、無形のサービス、業務、労務等、対価の発生するすべての行為を商品として登録できることを特徴とする請求項1記載の会員商品登録連鎖販売ビジネスシステム
【請求項３】
さらに、連鎖販売ビジネスの会員は、継続して供給可能な商品及び継続して供給可能な無形のサービス、業務、労務等ではなく、単一の商品及び一回限りの無形のサービス、業務、労務等であっても商品として登録できること
を特徴とする請求項1記載の会員商品登録連鎖販売ビジネスシステム
【請求項４】
さらに、連鎖販売ビジネスの会員は、
自己のネットワークグループに属する会員と共同で商品を登録できること
また所属の異なるネットワークグループの会員とも、共同で商品を登録できること
を特徴とする請求項1記載の会員商品登録連鎖販売ビジネスシステム
【請求項５】
さらに、請求項４記載の
自己のネットワークグループに属する会員と共同で商品を登録する際に、
また所属の異なるネットワークグループの会員と共同で、
請求項1記載の会員商品情報登録部に商品を登録する際に、
共同で商品登録する各会員の当該商品によって得られる報酬の比率を登録することによって、
当該商品の販売実績による各会員の得る報酬額
及び各会員の報酬受領資格を有する勧誘グループ会員の報酬額を、
登録された報酬比率に従って算定できるシステムにするため
請求項1記載の会員商品情報登録部に報酬比率入力項目を設け、
請求項1記載の商品登録会員勧誘グループ会員資格抽出部に報酬比率抽出機能を設け
請求項1記載の資格管理システムに報酬比率による報酬算定機能を設ける
ことを特徴とする請求項1記載の会員商品登録連鎖販売ビジネスシステム
【発明の詳細な説明】
【技術分野】
【０００１】
本発明は、管理するビジネス行動が、事業者が提供する商品の販売及びその商品を販売する会員勧誘の２種に限られている連鎖販売ビジネスシステムに、会員自身が売主となる商品販売及び当該会員商品販売会員の勧誘行為をビジネス行動として付加し、管理する会員商品登録連鎖販売ビジネスシステムに関する。【０００２】
会員が自ら売主となる商品を登録すること及び自ら売主となる商品を登録する会員を勧誘したことを会員の実績として報酬項目に加える手法を確立し、これをシステム化する。
【背景技術】
【０００３】
連鎖販売ビジネス（「連鎖販売取引」或いは「ネットワークビジネス」ともいう）というビジネス形態が知られている。
この連鎖販売ビジネスでは、商品の企画開発及び生産と販売を行う事業者が、当該商品の愛用者などを会員としてネットワークを構築し、当該会員を販売会員として商品の販売や販売の斡旋といった自社のビジネスに従事させ、会員にその実績等に見合った報酬等を提供する。【０００４】
この連鎖販売ビジネスでは、会員の実績に基づいたある種の資格を設定し、この資格に基づいて多段階の販売組織を形成するのが一般的である。【０００５】
会員は、商品を一般消費者に販売するだけでなく、他者をビジネスに勧誘することによって、商品流通ネットワークを広げることができる。【０００６】
そして、会員に提供される報酬には、商品を一般消費者に販売することによって発生する小売利益の他、会員自身とその会員が勧誘した会員から派生する、自らが構築したネットワークグループの商品購入実績により発生する報酬、さらに、ネットワークのグループ会員を指導・育成した努力などに応じた報酬などが含まれる。【０００７】
すなわち、会員の報酬は、会員個人の小売利益による報酬と、会員が属するネットワークのグループ活動によってもたらされる報酬から構成される。【０００８】
そして、報酬は、金銭による報酬とそれ以外の報酬からなり、非金銭報酬の中には会員の資格の昇進の他、研修旅行への派遣などが含まれる。
【発明の概要】
【発明が解決しようとする課題】
【０００９】
連鎖販売ビジネスにおいてビジネスが停滞し、一定の収入を得ることを目的として会員となった一般人が金銭的損害を受け、社会的な問題となる元凶は、会員が販売できる商品が連鎖販売ビジネス業者の商品に限定されていること及び会員が報酬を得る手段が商品販売と販売会員を勧誘するビジネス行動のみに限定されていることにある。【００１０】
このように、連鎖販売ビジネスでは、商品を供給することができるのは当該事業者に限られており、商品ジャンル、取扱商品が特定されているため、会員は限られた商品の中から商品を選択し、販売せざる得ない状態にある。
また連鎖販売ビジネス業者の中には、商品が単品である場合も多い。【００１１】
このように連鎖販売ビジネスに従事している会員が販売できる商品が限定されているため
、市場が限られ、安定した報酬を得ることが困難な状況にある。【００１２】
このように、唯一の商品供給者である当該事業者から、継続して需要のある商品の供給がなければ、長年多大な努力をして商品流通ネットワークを広げた会員も、永続して安定した報酬を得ることは難しい。【００１３】
商品には全てライフサイクルがあり、当該事業者が常に市場性のある商品を開発し供給し続けることができなければ、連鎖販売ビジネスは行き詰まる。【００１４】
現状においては、連鎖販売ビジネス事業者が、当該商品のライフサイクルに合わせて、衰退しているケースが非常に多く見受けられる。【００１５】
連鎖販売ビジネスの健全性を高めるためには、会員が行うビジネスに潜在的に存在する問題点を、連鎖販売ビジネスのシステム構造から見直す必要がある。【００１６】
連鎖販売ビジネスの問題の本質は、事業者とその直近の少数会員が、多くの一般会員から、多大な収益を吸い上げることにある。【００１７】
連鎖販売ビジネスは、報酬を得る目的を持って参加した一般人が、思うように商品販売ができず、行き詰まることが少なくない状況にある。【００１８】
この多くの一般人が一定の報酬を得ることができることが、連鎖販売ビジネスの社会的な存在価値であるという認識からスタートする必要がある。
その認識から生まれたのが、本発明である。【００１９】
連鎖販売ビジネスの社会的な存在理由を、一般的な特別技能や専門知識のない普通の消費者が、一定の報酬を永続的に得られることにあると位置付け、この手法を確立し、システム化したものである。
【課題を解決するための手段】
【００２０】
本発明は、このような事情のもとでなされたものであり、その目的は、連鎖販売ビジネス会員が、商品販売、販売会員勧誘、会員を売主とする商品登録、会員を売主とする商品登録会員勧誘まで行える手法を確立し、それらのビジネス行動を報酬の対象とし、報酬を得る機会を多様化すると共に、会員が商品登録をする手法を確立して、新規商品の供給を促進して、連鎖販売ビジネスの永続性を確保するシステムである。【００２１】
さらに連鎖販売ビジネスは、長年多大な努力をして商品流通ネットワークを広げた会員が、その努力に見合った永続的な報酬を得ることが望まれる。
本発明は、会員の努力に見合った、永続的な報酬を得ることを可能とするシステムである。【００２２】
本発明に関わる会員商品登録連鎖販売ビジネスシステムは、連鎖販売ビジネスに従事する会員が、当該連鎖販売の流通経路に乗せて販売する自らを売主とする商品を登録する会員商品情報登録部と、前記当該会員を売主とする商品の発注を管理するための発注管理システムを有する。【００２３】
上記の会員商品登録連鎖販売ビジネスシステムは、さらに、自らを売主とする商品を登録した会員を勧誘したグループ会員資格を抽出する商品登録会員勧誘グループ会員資格抽出部と、前記商品登録会員勧誘グループ会員資格を管理する資格管理システムを有する。【００２４】
前記商品登録会員勧誘グループ会員資格抽出部により、会員商品登録時に、当該商品が販売された実績に対して、報酬を受領する資格を持つ会員グループが抽出され、基幹システムの資格管理システムにより管理される。【００２５】
会員商品登録連鎖販売ビジネスでは、会員の商品登録会員勧誘実績に基づいて多段階の勧誘グループ会員資格を形成する。【００２６】
上記の会員商品登録連鎖販売ビジネスシステムの基幹システムにある資格管理システムには、会員自らを売主とする商品が販売された実績から、当該商品登録会員勧誘資格グループ会員の受領する報酬を抽出する機能も加わる。【００２７】
当該会員商品登録連鎖販売ビジネスの会員は、他者をビジネスに勧誘することによって、商品販売ネットワークだけでなく、商品供給ネットワークをも広げることができる。【００２８】
そして、会員に提供される報酬には、商品を一般消費者に販売することによって発生する小売利益の他、会員自身とその会員が勧誘した会員から派生する、自らが構築したネットワークの商品購入実績と自らが構築したネットワークの商品登録販売による商品供給実績により発生する報酬、さらに、ネットワークの会員を指導・育成した努力などに応じた報酬などが含まれる。【００２９】
すなわち、会員の報酬は、会員個人の実績による報酬と、会員が属するネットワークグループの活動によってもたらされる報酬から構成される。【００３０】
当該会員商品登録連鎖販売ビジネスの会員の金銭による報酬は、連鎖販売ビジネスの商品の販売利益、自ら売主として登録した商品の販売利益、そして勧誘会員の商品の販売利益、勧誘会員を売主として登録した商品の販売利益である。【００３１】
非金銭報酬の中には会員の資格の昇進の他、研修旅行への派遣などが含まれる。【００３２】
現状の連鎖販売ビジネスでは、事業者以外が提供する商品を販売することはないために、その会員対応の基幹システムには、会員からの商品注文を管理する受注管理システムのみしか設定されていない。【００３３】
当該会員商品登録連鎖販売ビジネスシステムにおいては、新たに会員が売主となる商品も販売するため、会員に対する商品の発注を管理する業務が加わる。そのため従来の受注管理システムに発注管理システムを付加する。これにより受注管理システムは、受発注管理システムとなる。【００３４】
さらに、現状の連鎖販売ビジネスでは、事業者以外が提供する商品を販売することはないために、その基幹システムの資格管理システムには、事業者商品の販売実績及び当該商品販売会員勧誘実績を基準として、報酬を決定する会員資格の設定がなされていた。【００３５】
当該会員商品登録連鎖販売ビジネスシステムにおいては、新たに会員が売主となる商品も販売するため、このような商品の売主となる会員の勧誘も実績となる。【００３６】
従って、当該会員商品登録連鎖販売ビジネスシステムの資格管理システムには、このような商品の売主となる会員の勧誘実績と当該会員の当該登録商品のネットワーク全体の販売実績を基準として、当該会員を勧誘したグループ会員への報酬を決定する新たな資格を設定するシステムを付加する。【００３７】
このように、会員は、商品販売に関わる報酬と商品供給に関わる報酬を得る可能性があるので、資格管理システムは、この双方の資格を管理する新たなシステムとなる。【００３８】
新たに基幹システムの会員管理システムに会員商品情報登録部を設ける。
自ら売主となる会員は、会員管理システムの会員商品情報登録部に、当該商品説明、仕様、価格等必要情報を登録すると当該商品情報は、商品格納部に格納され、商品受発注管理システムによって管理される。【００３９】
さらに、新たに基幹システムの資格管理システムに商品登録会員勧誘グループ会員資格抽出部を設ける。
自ら売主となる会員が、会員管理システムに商品登録すると、当該会員情報は資格管理システムに送られ、商品登録会員勧誘グループ会員資格が抽出され、資格情報格納部に格納される。【００４０】
これにより、当該登録商品の販売実績によって報酬を受ける条件を満たす勧誘グループ会員資格が設定され、資格管理システムによって管理される。
【発明の効果】
【００４１】
これにより、商品販売と販売会員の勧誘行為のみではなく、会員自身が売主となり当該会員商品登録連鎖販売システムを使用して販売すること及び当該会員商品登録連鎖販売システムを使用して自ら売主となる商品を登録する会員を勧誘する行為がビジネス行動に加わり、会員商品登録連鎖販売ビジネス会員の報酬を得る機会が多様となり、収入の安定を図ることができる。【００４２】
また、当該会員商品登録連鎖販売ビジネスの会員が自ら売主となる商品を登録することにより、様々なジャンルの商品が豊富に供給され、当該会員商品登録連鎖販売ビジネスが取り扱う商品が多彩となると共に商品ジャンルも多様化し、企業の永続性が保たれ、会員の得る報酬の永続性も確保される。
【図面の簡単な説明】
【００４３】
【図１】本発明に係る会員商品登録連鎖販売ビジネスの基幹システム構成を示した機能ブロック図である。
【図２】本発明に係る会員商品登録連鎖販売ビジネスの会員管理システムに設置した会員商品情報登録部に会員が入力する商品登録情報の流れのフローチャートである。
【図３】本発明に係る会員商品登録連鎖販売ビジネスの資格管理システムに設置した商品登録会員勧誘グループ会員資格抽出部による資格設定の流れのフローチャートである。
【発明を実施するための形態】
【００４４】
本発明の最大の特徴は、請求項１によって、連鎖販売ビジネスシステムによって形成される流通システムに、会員自らを売主とする商品を登録して販売できる点にある。
【００４５】
これにより、既存の連鎖販売ビジネスにおいては、販売とネットワーク形成には、かなり高い営業的能力を必要とした。
【００４６】
この会員商品登録連鎖販売ビジネスシステムにおいては、自らを売主として商品を登録することができるので、商品の制作力のある会員も、市場性のある商品を自ら売主として販売することによって、収益を得ることができる。
【００４７】
即ち、販売力と営業力のある人のみが収益を得られる既存の連鎖販売ビジネスと異なり、市場性のある良い商品を見つけることができる人や商品を企画して提供することができる
人も収益を得る機会がある。
【００４８】
請求項２により、有形の商品のみではなく、無形のサービス、業務、労務等、対価の発生するすべての行為を商品として登録することができるので、専門的な知識や技能を持っている人が、それを伝える教育的な活動、例えばセミナーなども、商品として登録販売することができる。
【００４９】
請求項３により、単一の商品及び一回限りの無形のサービス、業務、労務等であっても商品として登録できるので、自ら制作した絵画や彫刻などの美術品なども、商品として登録販売することができる。
【００５０】
請求項４によって、連鎖販売ビジネスの会員は、同グループの会員とも、また所属グループが異なる会員であっても、共同で商品を登録できるので、グループに捉われずに、会員全てのコミュニケーションが促される。
【００５１】
この会員同士のコミュニケーションから、グループを超えた会員同士の共同事業が生まれ、新たな商品が提供される可能性が高まる。
【００５２】
請求項５により、請求項４記載の同グループ会員同士及び所属グループが異なる会員と共同で商品を登録する際に、共同で商品登録する各会員の当該商品によって得られる報酬の比率を登録することができるので、通常の単独の商品登録と同じ手続きで、共同事業ができるので、グループを超えた会員同士の共同事業も促進される。
【図１】
2017119199.tif 000003
【図２】
2017119199.tif 000004
【図３】
2017119199.tif 000005
【国際調査報告】
2017119199.tif 000006
2017119199.tif 000007